(57)【特許請求の範囲】
【請求項１】
医療器材の作業工程における前記医療器材に対する作業を支援する医療器材作業支援システムであって、
前記作業工程は前記医療器材を用いる手術に向けて実施される工程であって、前記手術に向けて実施される工程は、少なくとも前記医療器材を手術後に回収する工程、手術後の前記医療器材を洗浄する工程、洗浄後の前記医療器材を組み立てる工程、組立後の前記医療器材に対して減菌処理を行う工程、および減菌処理後の前記医療器材を保管する工程のうち少なくとも一つの工程を含み、
表示部と、
前記医療器材の前記作業工程に含まれる１または複数の主作業の内容を示す主作業データと、前記主作業を構成する１または複数の詳細作業の内容を示す詳細作業データとを記憶する記憶部と、
前記詳細作業データの内容を表示するか否かを選択する選択部と、
前記主作業データの内容を前記表示部に表示させると共に、前記選択部による選択に応じて前記詳細作業データの内容を前記表示部に表示させる表示制御部と、を備え、
前記主作業とは、前記医療器材の前記作業工程における主要な作業であり、
前記詳細作業とは、前記作業工程における前記主作業を完了するために要される詳細な作業である、医療器材作業支援システム。
【請求項２】
前記主作業データにより表される表示には第１色で示された部分が含まれ、前記詳細作業データにより表される表示には前記第１色とは異なる第２色で示された部分が含まれている、請求項１に記載の医療器材作業支援システム。
【請求項３】
前記複数の主作業のうち何れかの主作業は、品質重点作業として設定されており、
前記何れかの主作業の主作業データにより表される表示には、前記第１色および前記第２色とは異なる第３色で示された部分が含まれている、請求項２に記載の医療器材作業支援システム。
【請求項４】
前記品質重点作業として設定された前記主作業の主作業データにより表される表示には、当該主作業が完了した際に押下するための確認部が含まれ、
前記確認部が押下されたか否かを検出する検出部を備え、
前記表示制御部は、前記検出部により前記確認部が押下されたことが検出されない場合には、前記品質重点作業に係る前記主作業の次の主作業の前記主作業データの内容を前記表示部に表示させない、または完了表示を前記表示部に表示させないように構成されている、請求項３に記載の医療器材作業支援システム。
【請求項５】
前記詳細作業データは、動画データである、請求項１〜４のいずれか１項に記載の医療器材作業支援システム。
【請求項６】
前記動画データは、前記医療器材を構成する複数のパーツの組み立ての際に一方の前記パーツに対する他方の前記パーツの位置決め手順を示すデータである、請求項５に記載の医療器材作業支援システム。
【請求項７】
前記詳細作業データは、前記医療器材の断面図または拡大図を示すイラストレーションデータである、請求項１〜４のいずれか１項に記載の医療器材作業支援システム。
【請求項８】
前記詳細作業データは、写真データである、請求項１〜４のいずれか１項に記載の医療器材作業支援システム。
【請求項９】
医療器材の作業工程における前記医療器材に対する作業を支援する医療器材作業支援方法であって、
前記作業工程は前記医療器材を用いる手術に向けて実施される工程であって、前記手術に向けて実施される工程は、少なくとも前記医療器材を手術後に回収する工程、手術後の前記医療器材を洗浄する工程、洗浄後の前記医療器材を組み立てる工程、組立後の前記医療器材に対して減菌処理を行う工程、および減菌処理後の前記医療器材を保管する工程のうち少なくとも一つの工程を含み、
前記医療器材の作業工程に含まれる１または複数の主作業の内容を示す主作業データと、前記主作業を構成する１または複数の詳細作業の内容を示す詳細作業データとを記憶するステップと、
前記詳細作業データの内容を表示するか否かを選択するステップと、
前記主作業データの内容を表示部に表示させると共に、選択に応じて前記詳細作業データの内容を前記表示部に表示させるステップと、を備え、
前記主作業とは、前記医療器材の前記作業工程における主要な作業であり、
前記詳細作業とは、前記作業工程における前記主作業を完了するために要される詳細な作業である、医療器材作業支援方法。
【請求項１０】
医療器材の作業工程における前記医療器材に対する作業を支援する医療器材作業支援プログラムであって、
前記作業工程は前記医療器材を用いる手術に向けて実施される工程であって、前記手術に向けて実施される工程は、少なくとも前記医療器材を手術後に回収する工程、手術後の前記医療器材を洗浄する工程、洗浄後の前記医療器材を組み立てる工程、組立後の前記医療器材に対して減菌処理を行う工程、および減菌処理後の前記医療器材を保管する工程のうち少なくとも一つの工程を含み、
前記医療器材の作業工程に含まれる１または複数の主作業の内容を示す主作業データと、前記主作業を構成する１または複数の詳細作業の内容を示す詳細作業データとを記憶する処理と、
前記詳細作業データの内容を表示するか否かを選択する処理と、
前記主作業データの内容を表示部に表示させると共に、選択に応じて前記詳細作業データの内容を前記表示部に表示させる処理と、をコンピュータに実行させ、
前記主作業とは、前記医療器材の前記作業工程における主要な作業であり、
前記詳細作業とは、前記作業工程における前記主作業を完了するために要される詳細な作業である、医療器材作業支援プログラム。
【発明の詳細な説明】
【技術分野】
【０００１】
本発明は、医療器材に対する作業を支援する医療器材作業支援システム、医療器材作業支援方法および医療器材作業支援プログラムに関する。
【背景技術】
【０００２】
従来から、手術用器具等の在庫管理や殺菌処理の管理を行う管理システムが用いられている。例えば特許文献１には、再使用可能な手術用器具の在庫管理を行う管理システムが開示されている。この管理システムでは、再使用可能な手術用器具に識別標識を付与し、当該識別標識に基づいてデータベースを作成する。そして、それらの手術用器具の使用回数をカウントし、カウントした使用回数が耐用回数を超えた手術用器具の破棄や補充を行う。
【０００３】
また、例えば特許文献２には、使用済みの内視鏡等の手術用器具、つまり術後に殺菌を必要とする殺菌対象物が未洗浄や未殺菌の場合に当該殺菌対象物の使用を禁止する殺菌管理システムが開示されている。この管理システムでは、通信可能でデータ書き換え可能なＩＣタグが設けられた内視鏡を管理する。例えば内視鏡洗浄装置により内視鏡の洗浄が済んだ際には、当該内視鏡のＩＣタグに洗浄済みを示す情報および洗浄日時を示す情報が書き込まれる。そして、内視鏡を使用する際に、ＩＣタグリーダーによって内視鏡のＩＣタグに記憶された情報が読み取られる。このとき、読み取られた情報に基づいて未洗浄であると判断されると、内視鏡の使用を禁止する旨がモニタに表示される。このような方法によって、未洗浄の内視鏡が手術において使用されることを防止する。
【先行技術文献】
【特許文献】
【０００４】
【特許文献１】特開２００５−２３７５８６号公報
【特許文献２】特開２００８−５４７３２号公報
【発明の概要】
【発明が解決しようとする課題】
【０００５】
ところで、手術用器具等の医療器材に対する作業として、医療器材を各パーツに分解した状態での洗浄、洗浄後の組み立ておよび組み立て後の減菌処理などがある。作業者は、作業説明書の説明文や写真を確認しつつ作業を遂行していた。しかしながら、作業説明書の記載が長かったり、従来の作業説明書では作業で注意すべき点が分かり難かった。そのため、作業手順書の内容の理解に長い時間を要することがあった。このようなことから、作業効率の向上が望まれていた。
【０００６】
本発明はかかる点に鑑みてなされたものであり、その目的は、医療器材に対する作業の効率を向上することができる医療器材作業支援システム、医療器材作業支援方法および医療器材作業支援プログラムを提供することである。
【課題を解決するための手段】
【０００７】
本発明に係る医療器材作業支援システムは、医療器材の作業工程における前記医療器材に対する作業を支援する医療器材作業支援システムであって、前記作業工程は前記医療器材を用いる手術に向けて実施される工程であって、前記手術に向けて実施される工程は、少なくとも前記医療器材を手術後に回収する工程、手術後の前記医療器材を洗浄する工程、洗浄後の前記医療器材を組み立てる工程、組立後の前記医療器材に対して減菌処理を行う工程、および減菌処理後の前記医療器材を保管する工程のうち少なくとも一つの工程を含み、表示部と、前記医療器材の前記作業工程に含まれる１または複数の主作業の内容を示す主作業データと、前記主作業を構成する１または複数の詳細作業の内容を示す詳細作業データとを記憶する記憶部と、前記詳細作業データの内容を表示するか否かを選択する選択部と、前記主作業データの内容を前記表示部に表示させると共に、前記選択部による選択に応じて前記詳細作業データの内容を前記表示部に表示させる表示制御部と、を備えている。
【０００８】
本発明に係る医療器材作業支援システムによれば、手術に向けて実施される作業工程における主作業の内容が表示部にされ、当該主作業を構成する詳細作業の内容が選択的に表示部に表示される。すなわち、詳細作業の内容については表示することもできるし、表示しないようにすることもできる。例えば、作業に熟練したベテランユーザーは詳細作業の内容を表示しないようにすることができ、一方で作業に慣れていない初心者ユーザーは詳細作業の内容を表示するようにすることができる。このように、ユーザーの作業力量に応じて詳細作業の表示および非表示を選択することができるため、従来のように冗長に記載された作業手順書の全ての内容に目を通すことで相当時間を要するようなことがなくなる。本支援システムでは、例えばベテランユーザーであれば、既に熟練して理解している詳細作業の表示を省略することができる。また、初心者ユーザーであっても、作業力量に応じて詳細作業の表示を省略することができる。このことによって、医療器材に対する作業の効率を向上することができる。したがって、医療器材の準備が遅延することが許されない手術に向けて万全の準備を整えることができる。
【発明の効果】
【０００９】
本発明によれば、医療器材に対する作業の効率を向上することが可能な医療器材作業支援システム、医療器材作業支援方法および医療器材作業支援プログラムを提供することができる。
【図面の簡単な説明】
【００１０】
【図１】本発明の一実施形態に係る医療器材作業支援システムを示す概略図である。
【図２】本発明の一実施形態に係る医療器材作業支援システムが用いられる医療作業工程の説明図である。
【図３】本発明の一実施形態に係るユーザー端末の構成を示すブロック図である。
【図４】本発明の一実施形態に係るユーザー端末のタッチパネルを示す図である。
【図５】（ａ）〜（ｈ）は本発明の一実施形態に係る表示部による主作業および詳細作業の内容を示す表示例の模式図である。
【発明を実施するための形態】
【００１１】
以下、本発明の一実施形態に係る医療器材作業支援システム１について説明する。図１に示すように、医療器材作業支援システム１は、複数のユーザー端末２と、アンテナ３と、サーバー４とを備えている。複数のユーザー端末２のうち一のユーザー端末２は、管理者によって使用される。図１においては、３つのユーザー端末２が設けられているが、医療器材作業支援システム１におけるユーザー端末２の数は、１つでも２つでもよく、４つ以上でもよい。ユーザー端末２は、アンテナ３に対して無線により情報を送受信することのできる例えばパーソナルコンピュータ、スマートフォン、またはタブレット端末等である。本実施形態では、ユーザー端末２として、ユーザーが持ち運びし易くかつ表示が見易いタブレット端末を好適に用いることができる。以下では、ユーザー端末２がタブレット端末である場合を例に説明する。なお、ユーザー端末２はアンテナ３と有線により通信を行ってもよい。アンテナ３は、例えばＬＡＮ（ローカルエリアネットワーク）によりサーバー４に接続されている。サーバー４には、医療器材に対する作業に関係する各種情報が保存されている。ユーザー端末２は、アンテナ３を介してサーバー４に対して情報の送受信を行うことができる。
【００１２】
本実施形態の医療器材作業支援システム１は、ユーザーが医療器材に対する作業工程、例えば医療器材の洗浄や組み立て等の作業工程を遂行する際に、その作業手順をユーザーの力量、換言すれば習熟性に応じて当該ユーザーに示して支援するものである。以下、本実施形態の医療器材作業支援システム１による作業支援について詳しく説明する。
【００１３】
最初に、医療器材作業支援システム１が用いられる作業工程（以下、医療作業工程と呼ぶ）について説明する。医療作業工程は、医療器材を用いる手術工程に向けて実施される作業工程である。医療器材とは、例えば鉗子、剪刃、メス、メスホルダー、カニューレ、鑷子、開創器、スケール、ゾンデ、エレバ、ラスパ、吸引管、開胸器、閉胸器、持針器、注射器、金属ボール、膿盆、コップ、ピン、ミラー、やすり、開口器、クレンメ、ハンドピース、エレパトリューム、ノミ、鋭匙、剥離子、鏡、縫合針、スタンツェ、受水器、針、圧子、ブジー、通気管、骨片打ち込み棒、リウエル、ラジオペンチ、ハンマー、角度計、穿孔器、スポイト、金属綿棒、浣腸器、シリンジ等の器材である。但し、上記例は一部を列挙したものに過ぎず、医療器材は上記例に限定されるものではない。図２に示すように、医療作業工程には、手術工程に向けた例えば５つの工程がある。詳しくは、医療作業工程は、例えば回収工程、洗浄工程、組立工程、減菌工程、および保管工程等を含む。回収工程は、手術後の医療器材を回収する工程である。洗浄工程は、回収された手術後の医療器材を分解した状態で洗浄装置により洗浄する工程である。組立工程は、洗浄後の医療器材を組み立てる工程である。減菌工程は、組立後の医療器材に対して減菌処理を行う工程である。保管工程は、減菌処理後の医療器材を手術に向けて保管する工程である。医療器材作業支援システム１は、上記医療作業工程を構成する５つの工程のうち少なくとも一つの工程で用いられる。
【００１４】
医療器材作業支援システム１のユーザー端末２（図１参照）は、図３に示すように、記憶部１０、表示制御部１１、表示部１２、検出部１３、確認部１４、および検出部１５を備えている。記憶部１０は、例えばハードディスクやメモリ等により実現可能である。表示制御部１１、検出部１３、確認部１４、および検出部１５は、公知のパーソナルコンピュータ、汎用コンピュータやタブレット端末などに設けられるＣＰＵ（中央演算処理装置）と、ＣＰＵが実行するプログラム等が格納されたＲＯＭ（リードオンリメモリ）およびＲＡＭ（ランダムアクセスメモリ）等により実現可能である。前記のＲＯＭには、医療器材に対する作業を支援するためのプログラムが記憶されている。前記プログラムは、例えばＣＤ（コンパクトディスク）やＤＶＤ（デジタルバーサタイルディスク）等の記録媒体ＫＢから読み込まれる。なお、前記プログラムを、インターネットを通じてダウンロードするようにしてもよい。表示部１２は例えばタブレット端末のタッチパネル等である。なお、ユーザー端末２をパーソナルコンピュータとした場合には、表示部１２をディスプレイとすることができる。
【００１５】
記憶部１０には、医療器材に対する作業を支援するための作業手順を示す写真、イラストレーションおよび動画の各データが予め記憶されている。記憶部１０には、医療作業工程に含まれる１または複数の主作業の内容を示す主作業データと、前記主作業を構成する１または複数の詳細作業の内容を示す詳細作業データとが記憶されている。主作業とは、ある医療作業工程における主要な作業である。詳細作業とは、ある医療作業工程（例えば、洗浄工程等）における主作業を完了するために要される詳細な作業である。すなわち、主作業は、１または複数の詳細作業により成り立ち、全ての詳細作業を完了すれば、その詳細作業が属する主作業が完了することとなる。言い換えれば、詳細作業は、主作業を細かく噛み砕いて分割した作業の意である。例えば、上述の洗浄工程（図２参照）には、医療器材を各パーツに分解、医療器材のパーツをトレイ上の所定位置に配置、トレイを洗浄装置内に配置、洗浄装置による洗浄、洗浄後のパーツの乾燥処理、といった５つの主作業が含まれる。詳細作業の例を挙げる。例えば医療器材を各パーツに分解する主作業の詳細作業としては、当該医療器材の第１部材の分解、第２部材の分解、および第３部材の分解、といったような３つの作業が挙げられる。表示制御部１１は、記憶部１０に記憶された作業手順を示す上記データを表示部１２に表示させるように構成されている。なお、検出部１３、確認部１４および検出部１５の詳細については後述する。
【００１６】
表示部１２の表示例について説明する。なお、以下に説明する表示部１２の表示例は一例であって、これに限定されるものではない。図４に示すように、表示部１２には、表示領域１２ａ，１２ｂ，１２ｂｃ，１２ｃ，１２ｄ，１２ｅ，１２ｆ，１２ｇ，１２ｈが設けられている。表示領域１２ａには、後述する複数の詳細作業の内容が表示される。表示領域１２ｂには、医療器材に対する作業の内容が画像（つまり写真、イラストレーション、または動画）により表示される。表示領域１２ｂｃには、医療器材に対する作業の内容が文字によって表示される。表示領域１２ｂｃは、表示領域１２ｂの下方に配置されている。例えば、表示領域１２ｂには、並んで配置された３種のハンドピースの写真が表示される。そして、表示領域１２ｂｃには、例えば「ハンドピースの目視検査」といった文字が表示される。このように、表示領域１２ｂｃによる表示は、表示領域１２ｂの表示内容の理解を補助するものである。つまり、表示領域１２ｂの表示と表示領域１２ｂｃの表示とは紐付けられている。表示領域１２ｃには、品質重点作業として設定された主作業の内容が表示領域１２ｂに表示される際に、確認ボタンが表示される。表示領域１２ｃに表示される確認ボタン（後述の確認部１４に相当）は、上記品質重点作業として設定された主作業が完了したときにユーザーにより押下される。この確認ボタンが押下されないと、次ステップの主作業の内容が表示されない、または作業完了を示す完了表示が実行されないように構成されている。これによって、ユーザーに念入りに作業および確認させることにより、品質重点作業として設定された主作業の品質が担保されるようになっている。図３の検出部１５は、ユーザーにより確認部１４が押下されたか否かを検出する。同図の表示制御部１１は、検出部１５により上記検出があった場合に、表示部１２に次ステップの主作業の内容を表示させ、または完了表示を実行させる。なお、ユーザーが上記確認ボタンを押下すると、その情報が履歴としてサーバー４（図１参照）に残るように構成されており、上述の管理者が、ユーザーにより確実に品質重点管理（ゲート管理ともいう）が行われたことをサーバー４にアクセスして容易に確認することができる。
【００１７】
また、表示領域１２ｄには、一の医療作業工程に含まれる複数の主作業のうち現在の主作業のページ数が表示される。表示領域１２ｅには、現在の主作業に詳細作業が設定されている場合に、例えば「詳細」といった文字が表示される。これにより、ユーザーは、詳細作業の内容が表示可能なことを認識することができる。そして、ユーザーは、後述するように、その指先を表示部１２に触れさせた状態で払う（この操作は一般にフリックと呼ばれる）ことにより、詳細作業の内容を表示させることができる。なお、ユーザー端末２としてパーソナルコンピュータを用いる場合には、ユーザーが詳細作業の内容を視認する際に押下するためのボタンを表示領域１２ｅに設けるようにしてもよい。このように、ユーザーの選択によって、詳細作業の内容の表示および非表示が決定されるようになっている。この場合、初心者ユーザーによって詳細作業の内容が表示されてもよいし、ベテランユーザーであっても詳細作業を念入りに確認したいときには表示するようにしてもよい。図３の検出部１３は、ユーザーにより表示領域１２ｂに対してフリックが行われたか否かを検出する。同図の表示制御部１１は、検出部１３により前記フリックが検出された場合に、表示部１２に詳細作業の内容を示す表示を実行させる。表示領域１２ｇには、主作業の中に含まれる詳細作業の全数と、表示領域１２ｂに現在表示されている詳細作業のページ数とが表される。例えば、詳細作業の全数が６つで、表示領域１２ｂに現在表示されている詳細作業のページ数が２ページである場合、６つの色抜き丸表示のうち２つの丸表示が塗り潰されて表示される。これによって、ユーザーは、ある主作業の中に含まれている詳細作業の全数と、現在表示されている詳細作業のページ数とを明確に把握することができる。表示領域１２ｆには、上述の品質重点作業を示すマークが表示される。表示領域１２ｈには、医療器材作業支援システム１を終了させるためのボタンが表示される。ユーザーは、医療器材作業支援システム１を終了させたいときに、表示領域１２ｈの前記ボタンを押下する。
【００１８】
以下、表示部１２における主作業および詳細作業の表示例について説明する。医療作業工程における主作業および詳細作業は、例えば次のように表示される。図５（ａ）に示すように、表示部１２の表示領域１２ｂには、最初の主作業の内容として、例えば上段トレイおよび下段トレイに医療器材が無作為に配置された状態を示す写真が表示される。また、表示部１２の表示領域１２ｂｃには、例えば「上下段トレイに医療器材を配置」といった文字が例えば白色で表示される。この表示領域１２ｂｃにおいて、上記文字の背景色は例えば青色に設定されている。なお、以降の主作業の内容を表示する表示領域１２ｂｃの背景色についても、品質重点作業が設定されている場合を除き青色に設定されている。ユーザーは、表示部１２を視認しつつ、上段トレイおよび下段トレイに複数の医療器材を無作為に配置する作業を遂行する。なお、前記作業が完了すれば、ユーザーは表示領域１２ｂに触れ、その指先を例えば左方向（つまり紙面左方向）にフリックする。これにより、表示領域１２ｂに次ステップの主作業（つまり後述の図５（ｂ）の作業）の内容を表示させることができる。逆に、ユーザーは、上記状態から指先を右方向（つまり紙面右方向）にフリックすることで、表示領域１２ｂに最初のステップの主作業の内容を表示させることができる。このように、ユーザーは、左方向にフリックすることで次ステップの主作業の内容を表示させることができ、右方向にフリックすることで前ステップの主作業の表示に戻すことができる。
【００１９】
続いて、図５（ｂ）に示すように、表示領域１２ｂには、所定の医療器材が下段トレイの所定位置に配置された状態を示す写真が表示される。所定の医療器材とは、例えばハンドピースやモータ等である。ただし、上記所定の医療器材はこれらに限定されるものではない。表示領域１２ｂｃには、例えば「下段器材入れ込み完成」といった文字が表示される。この場合、ユーザーは、表示部１２を視認しつつ、所定の医療器材を下段トレイの所定位置に配置する作業を遂行する。
【００２０】
ここで、図５（ｂ）の主作業に詳細作業が設定されている場合、上述の通り表示領域１２ｅに「詳細」という文字が表示される。これによって、ユーザーは現在表示されている主作業に詳細作業が含まれていることを認識することができる。このとき、ユーザーは、図５（ｂ）の主作業の詳細作業を確認したいときには、図５（ｂ）の状態の表示領域１２ｂに触れ、その指先を例えば上方向（つまり紙面上方向）にフリックする。これにより、表示領域１２ｂに詳細作業の内容を表示させることができる。この場合、図５（ｅ）に示すように、表示領域１２ｂには、例えば２つのモータが下段トレイの所定位置に配置された状態を示す写真が表示される。また、表示領域１２ｂｃには、例えば「モータ２種を所定位置にしっかりと配置する」といった文字が例えば白色で表示される。この表示領域１２ｂｃにおいて、上記文字の背景色は例えば緑色に設定されている。以降の詳細作業の内容を表示する表示領域１２ｂｃの背景色も緑色に設定されている。なお、詳細作業の内容を表示する表示領域１２ｂｃの背景色は、主作業の内容を表示する表示領域１２ｂｃの背景色と異なっていればよく、緑色に限定されるものではない。ユーザーは、表示部１２を視認しつつ、２つのモータを下段トレイの所定位置にそれぞれ配置する作業を遂行する。
【００２１】
上述したように、表示領域１２ｇには、主作業の中に含まれる詳細作業の全数と、表示領域１２ｂに現在表示されている詳細作業のページ数とが表される。ユーザーは、表示領域１２ｇの表示に基づいて、まだ表示されていない詳細作業が存在するか否かを判断することができる。まだ表示されていない詳細作業が存在する場合には、ユーザーは上記と同様にフリック操作を行う。これにより、表示領域１２ｂに次の詳細作業の内容を表示させることができる。この場合、図５（ｆ）に示すように、表示領域１２ｂには、例えば２つのハンドピースが下段トレイの所定位置に配置された状態を示す写真が表示される。また、表示領域１２ｂｃには、例えば「ハンドピース２種を所定位置にしっかりと配置する」といった文字が表示される。ユーザーは、表示部１２を視認しつつ、２つのハンドピースを下段トレイの所定位置にそれぞれ配置する作業を遂行する。
【００２２】
続いて、図５（ｂ）の主作業の次の主作業の内容を表示させる方法について説明する。上述の通り、表示領域１２ｄには現在の主作業のページ数が表示されるので、ユーザーは表示領域１２ｄの表示に基づいて、まだ表示されていない主作業が存在するか否かを判断することができる。ここでは、図５（ｂ）の主作業の次の主作業が存在することとする。まず、ユーザーは、図５（ｆ）の状態から下方向に２回フリック操作を行うことにより、表示領域１２ｂの表示を図５（ｂ）の表示に戻す。そして、ユーザーは、図５（ｂ）の状態から左方向にフリック操作を行う。これにより、図５（ｃ）に示すように、次の主作業の内容が表示領域１２ｂに表示され、ユーザーは所定の作業を遂行する。図５（ｃ）においては、図５（ｃ）の主作業が上述の品質重点作業であることを示す確認ボタンが表示領域１２ｃに表示されている。品質重点作業である主作業の内容を表示する表示領域１２ｂｃの背景色は例えば赤色に設定されている。なお、品質重点作業としての主作業の内容を表示する表示領域１２ｂｃの背景色は、主作業の内容を表示する表示領域１２ｂｃの背景色および詳細作業の内容を表示する表示領域１２ｂｃの背景色と異なっていればよく、赤色に限定されるものではない。なお、図５（ｇ）および（ｈ）に図５（ｃ）の主作業に属する詳細作業の内容が表示されている状態を図示したが、これらを表示させる方法および図５（ｃ）の表示に戻す方法は上記と同じであるため、説明を省略する。
【００２３】
次に、ユーザーは、上述と同じ方法によって表示領域１２ｂの表示を図５（ｃ）の表示に戻す。そして、ユーザーは、図５（ｃ）の状態から左方向にフリック操作を行う。これにより、図５（ｄ）に示すように、全ての主作業が完了した旨、換言すると一つの医療作業工程が完了した旨を示す完了表示が表示領域１２ｂに表される。なお、図５（ｃ）の主作業の次の主作業がある場合には、図５（ｄ）の完了表示の代わりに、当該次の主作業の内容が表示されることとなる。以上の通り、主作業および詳細作業の表示例について説明したが、詳細作業の確認が不要な場合には、ユーザー（例えばベテランユーザー）は左方向にフリック操作を順に行うことによって、図５（ａ），（ｂ），（ｃ），（ｄ）の表示、すなわち主作業の内容のみを表示させることができる。なお、初心者ユーザーであっても、同様に全ての詳細作業の確認を省略してもよいし、一部の詳細作業のみを確認対象としてもよい。
【００２４】
以上のように、本実施形態によれば、手術に向けて実施される作業工程における主作業の内容が表示部１２にされ、当該主作業を構成する詳細作業の内容が選択的に表示部１２に表示される。すなわち、詳細作業の内容については表示することもできるし、表示しないようにすることもできる。例えば、作業に熟練したベテランユーザーは詳細作業の内容を表示しないようにすることができ、一方で作業に慣れていない初心者ユーザーは詳細作業の内容を表示するようにすることができる。このように、ユーザーの作業力量に応じて詳細作業の表示および非表示を選択することができるため、従来のように冗長に記載された作業手順書の全ての内容に目を通すことで相当時間を要するようなことがなくなる。本実施形態の医療器材作業支援システム１では、例えばベテランユーザーであれば、既に熟練して理解している詳細作業の表示を省略することができる。また、初心者ユーザーであっても、作業力量に応じて詳細作業の表示を省略することができる。このことによって、医療器材に対する作業の効率を向上することができる。したがって、医療器材の準備が遅延することが許されない手術に向けて万全の準備を整えることができる。
【００２５】
また、本実施形態によれば、主作業の内容を表示する表示領域１２ｂｃの背景色が例えば青色に設定され、詳細作業の内容を表示する表示領域１２ｂｃの背景色が例えば緑色に設定されている。このように、主作業の内容を示す表示領域１２ｂｃと詳細作業の内容を示す表示領域１２ｂｃとが異なる色で表されることによって、ユーザーに対して注意喚起でき、ユーザーは主作業の内容と詳細作業の内容とを分けて認識し易くなる。
【００２６】
また、本実施形態によれば、品質重点作業として設定された主作業の内容を表示する表示領域１２ｂｃの背景色が例えば赤色に設定されている。このように、品質重点作業を示す背景色が、通常の主作業（つまり、品質重点作業として設定された主作業を除いた主作業）を示す背景色および詳細作業を示す背景色と異なることによって、ユーザーに対して注意喚起でき、ユーザーは品質重点作業であることを認識し易くなる。
【００２７】
また、本実施形態によれば、品質重点作業として設定された主作業が完了したときに、ユーザーは表示領域１２ｃの確認ボタンを押下する必要がある。この確認ボタンが押下されないと、次ステップの主作業の内容が表示されない、または作業完了を示す完了表示が実行されないように構成されている。これによって、ユーザーに念入りに作業および確認させることにより、品質重点作業として設定された主作業の品質が担保される。
【００２８】
また、本実施形態によれば、表示領域１２ｂにおいて詳細作業の内容は写真データに基づく写真に表示される。このように、写真で表示することによって、詳細作業の内容にリアリティーを持たせることができる。このことによって、ユーザーは実際の医療器材と見比べて詳細作業の内容を把握し易くなる。
【００２９】
以上、本実施形態に係る医療器材作業支援システム１について述べたが、当該医療器材作業支援システム１は上記技術的特徴に限定されるものではなく、次のような変形を施して実施することが可能である。
【００３０】
上記実施形態では、詳細作業の内容を写真により表示することにしたが、これに限定されるものではない。詳細作業の内容を動画により表示するようにしてもよい。例えば、上述の組立工程（図２参照）において医療器材を構成する複数のパーツの組み立ての際に、一方のパーツに対する他方のパーツの位置決め手順を動画により表示することができる。これにより、ユーザーは、上記位置決めの作業をスムーズに遂行することができる。
【００３１】
また、上記実施形態では、詳細作業の内容を写真により表示することにしたが、これに限定されるものではない。詳細作業の内容をイラストレーションにより表示するようにしてもよい。例えば、医療器材の内部構成を写真で表すことは比較的困難であるので、このような場合に当該内部構成をイラストレーションの断面図により表示することができる。また、前記内部構成をイラストレーションの拡大図により表示するようにしてもよい。このように、医療器材に対する作業の内容に応じて、写真、動画およびイラストレーションのうち何れを採用するかを決定することができる。
【００３２】
また、上記実施形態では、ユーザー端末２として、タブレット端末を採用する場合を説明したが、これに限定されるものではない。ユーザー端末２としては、パーソナルコンピュータやスマートフォン等も採用することができる。パーソナルコンピュータを採用する場合には、ユーザーはディスプレイの表示を視認しつつマウスの操作によって表示の切り替えを行うことができる。なお、スマートフォンを採用する場合の表示の切り替えについては、タブレット端末における上述の操作と基本的に同じである。
【００３３】
さらに、上記実施形態では、医療作業工程が回収工程、洗浄工程、組立工程、減菌工程、および保管工程のうち少なくとも一つの工程を含む場合について説明したが、当該医療作業工程は上記５つの工程以外の工程を含んでもよい。すなわち、医療作業工程は、手術工程に向けて実施される工程であることを充足するものであればよい。
【符号の説明】
【００３４】
１    医療器材作業支援システム
２    ユーザー端末
３    アンテナ
４    サーバー
１０  記憶部
１１  表示制御部
１２  表示部
１３  検出部（選択部）
１４  確認部
１５  検出部
ＫＢ  記録媒体
【図１】
0006737604.tif 000002
【図２】
0006737604.tif 000003
【図３】
0006737604.tif 000004
【図４】
0006737604.tif 000005
【図５】
0006737604.tif 000006